(57)【特許請求の範囲】
【請求項１】
壁面に配置され、床面等、所定領域の状態変化を検出する状態検出部と、この状態検出部からの出力にて該領域を照光する照光部と、前記各部へ電源供給する電源部と、を備える自動照光装置において、
前記照光部を、その光源を複数のＬＥＤ素子として形成し、且つ前記照光部は、前記光源から発せられる光を前記の領域へ向けさせる指向制御手段を有し、
該指向制御手段を、少なくとも２つの、前記の領域への異なる指向特性を有するものとし、且つ、縦横列に配置された光源の上方に配置されたものの配光の中心軸と該指向制御手段との交差角度を、下方に配置されたものの配光の中心軸と該指向制御手段との交差角度よりも小さくし、
且つ前記光源の上方に配置されたものの対向する指向制御手段の指向制御結果による配光において前記壁面近傍側の前記領域を照光するよう該光源を同一平面上に設けたことを特徴とする自動照光装置。
【請求項２】
前記指向制御手段は、フレネルレンズ形状を有するものであることを特徴とする請求項１記載の自動照光装置。
【発明の詳細な説明】
【０００１】
【発明の属する技術分野】
本発明は、住宅等の廊下等の壁面に設置されて、床面の所定領域の、明るさ、あるいは人体の通過などの状態変化を検知し自動的にその領域を照光する自動照光装置に関する。
【０００２】
【従来の技術】
従来、住宅内の廊下等において、夜間にて所定領域の人体の通過を検知し自動的にその領域を照光するために設置される自動照光装置として、図８に示す自動照光装置がある。この自動照光装置は、例えば住宅内の廊下等の壁面に、配線用スイッチボックスに取り付けられて設置され使用されるもので、図９のブロック図にも示すように、熱線検出部１と、照光部２と、電源部３とを備えている。
【０００３】
熱線検出部１は、床面等、廊下等の所定領域の状態変化である人体の通過を検知する状態検出部に相当するもので、人体から放出されている熱線を集光する光学系である、ポリエチレン樹脂材料にて形成された集光レンズ１１と、集光レンズ１１を介して入射された熱線を検出する焦電素子１２と、焦電素子１２からの出力信号を増幅する増幅回路１３と、増幅回路１３からの出力である電圧信号を入力し、所定周波数帯域の検知信号を出力するフィルタ回路１４と、フィルタ回路１４からの出力信号を所定の閾値と比較し、該出力信号がその閾値より大きいときに信号出力する比較回路１５と、比較回路１５からの信号を入力し、所定領域の人体通過を判定して所定の時間、検知信号を出力する出力回路１６とを有している。
【０００４】
照光部２は、熱線検出部１からの出力にて上記領域を照光するもので、例えば大略５Ｗ程度の消費電力の小型のなつめ電球にて形成されている光源部２１を点灯制御する点灯制御回路２２と、上記の所定領域の明るさを検知する、例えばＣｄＳ素子にて形成された明るさ検知部２３とを有している。なお、光源部２１には、上記のなつめ電球による光が眩しくないよう拡散させるため、例えば乳白色のアクリル樹脂材料にて形成された拡散カバー２５が全面に設けられている。
【０００５】
電源部３は、商用電源であるＡＣ１００Ｖの交流を入力して上記の熱線検出部１、照光部２へ電源供給するもので、交流電源の電圧を所定の低電圧に変換するトランス３１と、トランス３１から交流低電圧を入力し、所定の電圧値の直流に変換し安定化して出力する電源回路３２とを有している。
【０００６】
上記の自動照光装置は、２コ用スイッチボックスと呼ばれている、一般の配線器具の２個分を連設するときに使用される配線用スイッチボックスに取り付けられて、住宅内の廊下等の壁面に設置される。そして、明るさ検知部２３にて、自動照光装置が設置された箇所の明るさが所定の明るさ以下であることが検知され、且つ、熱線検出部１にて、集光レンズ１１及び焦電素子１２の検知素子にて光学的に形成される検知領域を、人体が通過したことが検出されたとき、点灯制御回路２２が出力回路１６にて制御されて、光源部２１のなつめ電球が所定の時間継続して点灯される。
【０００７】
【発明が解決しようとする課題】
ところで、住宅等の廊下等に上記の自動照光装置等の、配線器具と同一のモジュールを有する壁面埋込器具は、屋内配線にて供給される交流電源を効果的に利用できることが望ましい。従って、例えば、図１０に示す常夜灯装置のように、交流電源にて点灯されて、カバー２６の押操作にて点滅が制御される、図示していないなつめ電球を有する照光部とともに、適宜、電気機器を接続して使用することのできる配線用コンセント４を一体に設けたものが要望されている。しかし、上記の自動照光装置は、状態検出部としての熱線検出部１、照光部２及び電源部３を一体に収納して小型に構成されているが、トランス３１を有する電源部３の形状が大きく、その結果、配線用コンセントを一体に設けるための小型化が難しいという問題点があった。
【０００８】
本発明は、上記事由に鑑みてなしたもので、その目的とするところは、消費電力が小さく、電源部にトランスを使用しない小型化の容易な自動照光装置を提供することにある。
【０００９】
【課題を解決するための手段】
上記目的を達成するために、請求項１記載の自動照光装置は、床面等、所定領域の状態変化を検出する状態検出部と、この状態検出部からの出力にて該領域を照光する照光部と、前記各部へ電源供給する電源部と、を備える自動照光装置において、前記照光部を、その光源を複数のＬＥＤ素子として形成している。これにより、床面等、所定領域がＬＥＤ素子から発せられる光にて照光されるものとなる。
【００１０】
また、請求項２記載の自動照光装置は、請求項１記載の照光部は、前記光源から発せられる光を前記の領域へ向けさせる指向制御手段を有している。これにより、指向制御手段にて、ＬＥＤ素子から発せられた光が床面等、所定領域へ向けられるものとなる。
【００１１】
また、請求項３記載の自動照光装置は、請求項２記載の指向制御手段は、フレネルレンズ形状を有するものとしている。これにより、ＬＥＤ素子から発せられた光がフレネルレンズ形状にて指向制御されるものとなる。
【００１２】
また、請求項４記載の自動照光装置は、請求項２又は３記載の指向制御手段を、少なくとも２つの、前記の領域への異なる指向特性を有するものとし、且つ、前記光源を、その配光の中心軸と前記指向制御手段との交差角度とが異なるように同一平面上に設けている。これにより、指向制御手段との交差角度とが異なるように同一平面上に設けられたＬＥＤ素子から発せられた光が、少なくとも２つの、異なる指向特性にて床面等、所定領域へ向けらるものとなる。
【００１３】
【発明の実施の形態】
以下、本発明の自動照光装置の第１の実施の形態を図１乃至図６に基づいて、第２の実施の形態を図７に基づいて、それぞれ説明する。
【００１４】
［第１の実施の形態］
図１は、第１の実施の形態の自動照光装置の構成を示す説明図で、（ａ）はカバーを外した状態の平面図、（ｂ）は側面断面図である。図２は、図１に示す自動照光装置のブロック図である。図３は、図１に示す自動照光装置に使用されるＬＥＤ素子の説明図である。図４は、図１に示す自動照光装置の指向性制御手段の説明図で、（ａ）はＬＥＤ素子と指向制御カバーとの関係図、（ｂ）は取付状態の指向制御状態図である。図５は、図１に示す自動照光装置の照光部による配光の説明図である。図６は、図１に示す自動照光装置の取付方法の説明図である。
【００１５】
この自動照光装置ＡＬは、夜間にて所定領域の人体の通過を検知し自動的にその領域を照光するために住宅内の廊下等の壁面に設置されるもので、従来例として説明したものと同様、図２のブロック図に示すように、熱線検出部１と、照光部２と、電源部３とを備え、適宜、図６に示すように、配線用コンセント４が設けられる。そして、これらはいずれもカバー５１、ボディ５２にて形成されるハウジングに収納されている。熱線検出部１は従来例として説明したものと同一であり、詳細な説明は省略する。
【００１６】
照光部２は、熱線検出部１からの出力にて床面等、廊下等の所定領域を照光するもので、このものにおける光源である、図１に示す複数のＬＥＤ素子２１、２１、…と、点灯制御回路２２と、床面等、廊下等の所定領域の明るさを検知する、例えばＣｄＳ素子にて形成された明るさ検知部２３と、指向制御カバー２４とを有している。
【００１７】
ＬＥＤ素子２１、２１、…は、図３に示すように、砲弾形状のエポキシ樹脂等からなる透明樹脂体ケース２１ａの内方に、湾曲面を有する反射体２１ｂ上に設けられた黄色発光するＬＥＤチップ２１ｃを有し、中心軸２１ｄを中心にして紡錘形の配光特性を有する。このＬＥＤ素子２１は、図１の（ａ）に示すように、例えば１２個のものが縦横列に配置され、それぞれのものが直列に接続され、後述する点灯制御回路２２にて点滅状態が制御される。
【００１８】
点灯制御回路２２は、このものにおいては、例えばトランジスタ等のスイッチ素子にて形成され、熱線検出部１からの出力と明るさ検知部２３からの出力にてＬＥＤ素子２１、２１、…の点滅状態を制御する。この点灯制御回路２２は、従来例にて説明したものと同様、明るさ検知部２３から、床面等、廊下等の所定領域の明るさが所定の明るさより暗いことを検知した検知信号が入力され、且つ、熱線検出部１にて、所定の検知領域を人体が通過したことの検知信号が入力されたとき、ＬＥＤ素子２１、２１、…を所定時間点灯する。
【００１９】
指向制御カバー２４は、光源である複数のＬＥＤ素子２１、２１、…から発せられる光を床面等、廊下等の所定領域へ向けさせる指向制御手段で、このものにおいては、例えば透明のアクリル樹脂材料等にて形成された半円筒状の内側湾曲面上に、図４の（ａ）に示すように、フレネルレンズ形状である、所定の幅を有して、それぞれ高さと傾斜角度とが異なる断面矢視直角三角凸状２４ａ１、…、２４ａｎが刻設されている。この指向制御カバー２４にて、ＬＥＤ素子２１、２１、…の、それぞれの指向制御結果による配光特性の中心軸２１ｄと自動照光装置の設置された壁面Ｗとの交差角度が、図４の（ｂ）に示すように、大略７０度から５０度となるよう、ＬＥＤ素子２１、２１、…から発せられた光が指向制御されて、図５に示すように、自動照光装置ＡＬの設置された壁面Ｗから廊下Ｆの扇状の所定領域を照光する。
【００２０】
電源部３は、商用電源であるＡＣ１００Ｖの交流を入力して上記の熱線検出部１、照光部２へ電源供給するもので、このものにおいては、交流電源の電圧を所定の低電圧に変換するとともに所定の電圧値の直流に変換し安定化して出力する電源回路３３のみにて形成されている。この電源回路３３は、例えば、交流電源と直列に接続された抵抗器にて商用電源の交流を低電圧化し安定化する直列低電圧安定化回路で、熱線検出部１及び、直列に接続された１２個のＬＥＤ素子２１、２１、…に、合計で大略２０ｍＡの電流を通電するために、大略２Ｗ程度の、所定の電圧値に安定化された直流電力を供給する。
【００２１】
以上説明した自動照光装置ＡＬは、一般の配線器具が取り付けられる１コ用スイッチボックスに取り付けられて、住宅内の廊下等の壁面に設置される。詳しくは、図６に示すように、カバー５１に設けられている被係止手段を係止する係止手段が形成された合成樹脂材料製の取付枠５３に係止され、上記の１コ用スイッチボックスに取り付けられる。取付枠５３は、中央にカバー５１の前面を露出する角穴を有する中枠５４が係止爪にて係止されるとともに、プレート５６を係止するためのプレート枠５５が取付ネジ５７、５７にて取り付けられる。そして、明るさ検知部２３にて、自動照光装置ＡＬが設置された箇所の明るさが所定の明るさ以下であることが検知され、且つ、熱線検出部１にて、集光レンズ１１及び焦電素子１２の検知素子にて光学的に形成される検知領域を人体が通過したことが検出されたとき、点灯制御回路２１が出力回路１６にて制御されて、ＬＥＤ素子２１、２１、…が所定の時間継続して点灯される。
【００２２】
以上説明した自動照光装置ＡＬによると、床面Ｆの所定領域がＬＥＤ素子２１、２１、…から発せられる光にて照光されるものとなるので、消費電力が小さく、以て、電源部にトランスを使用せず容易に小型化ができる。また、指向制御カバー２４にて、ＬＥＤ素子２１、２１、…から発せられた光が床面Ｆの所定領域へ向けられるものとなるので、所定領域をより明るく照光できる。また、ＬＥＤ素子２１、２１、…から発せられた光が、指向制御カバー２４の、所定の幅を有して、それぞれ高さと傾斜角度とが異なる断面矢視直角三角凸状２４ａ１、…、２４ａｎにて指向制御されるものとなるので、小型形状にて広い範囲を照光できる。
【００２３】
［第２の実施の形態］
図７は、第２の実施の形態の自動照光装置の指向性制御手段の説明図で、（ａ）はＬＥＤ素子と指向制御カバーとの関係図、（ｂ）は取付状態の指向制御状態図である。
【００２４】
この自動照光装置ＡＬは、照光部２の指向性制御手段の構成と光源の配置のみが第１の実施の形態と異なるもので、他の構成部材は第１の実施の形態のものと同一である。
【００２５】
このものの指向性制御手段に相当する指向制御カバー２４は、２つの、前記の領域への異なる指向特性を有している。詳しくは、図７の（ａ）に示すように、縦横列に配置されたＬＥＤ素子２１の、上方に配置されたものの対向する上端部Ｈと、下方に配置されたものの対向する下端部Ｌとが異なる指向性を有するように、フレネルレンズ形状である、所定の幅を有して、それぞれ高さと傾斜角度とが異なる断面矢視直角三角凸状２４ａ１、…、２４ａｎが、上端部Ｈと下端部Ｌとにそれぞれ刻設されている。
【００２６】
また、このもののＬＥＤ素子２１、２１、…は、第１の実施の形態と同じ光源であるＬＥＤ素子２１、２１、…を、その配光の中心軸と前記指向制御手段との交差角度とが異なるように同一平面上に設けている。すなわち、図７の（ａ）に示すように、縦横列に配置されたＬＥＤ素子２１の、上方に配置されたものの配光の中心軸２１ｄと前記指向制御カバー２４との交差角度θ１が７０度、下方に配置されたものの配光の中心軸と前記指向制御カバー２４との交差角度θ２が９０度となるよう同一平面上に、図示していない位置決め手段によって位置決めされて配設されている。この指向制御カバー２４にて、ＬＥＤ素子２１、２１、…の、それぞれの指向制御結果による配光特性の中心軸２１ｄと自動照光装置の設置された壁面Ｗとの交差角度が、図７の（ｂ）に示すように、大略７０度から３０度となるよう、ＬＥＤ素子２１、２１、…から発せられた光が制御されて、図５に示すように、自動照光装置ＡＬの設置された壁面Ｗから廊下Ｆの扇状の所定領域を照光する。
【００２７】
以上説明した自動照光装置ＡＬによると、指向制御カバー２４との交差角度とが異なるように同一平面上に設けられたＬＥＤ素子２１、２１、…から発せられた光が、少なくとも２つの、異なる指向特性にて床面Ｆの所定領域へ向けらるものとなるので、第１の実施の形態のものより、より広い範囲を照光できるものとなる。
【００２８】
なお、以上説明した自動照光装置の状態検出部を、床面等、廊下等の所定領域の状態変化である人体の通過を検知する熱線検出部として説明したが、本発明はそのもののみに限定するものでなく、例えば、自動照光装置の設置された領域の明るさを検知する明るさ検知部として、明るさ変化にて光源を点滅制御するものであっても良い。また、指向制御手段は、フレネルレンズ形状を有するもののみに限定するものでなく、更に指向制御手段が無いものであっても良い。
【００２９】
【発明の効果】
請求項１記載の自動照光装置は、床面等、所定領域がＬＥＤ素子から発せられる光にて照光されるものとなるので、消費電力が小さく、以て、電源部にトランスを使用せず容易に小型化ができる。
【００３０】
また、請求項２記載の自動照光装置は、請求項１記載のものの効果に加え、、指向制御手段にて、ＬＥＤ素子から発せられた光が床面等、所定領域へ向けられるものとなるので、所定領域をより明るく照光できる。
【００３１】
また、請求項３記載の自動照光装置は、請求項２記載のものの効果に加え、ＬＥＤ素子から発せられた光がフレネルレンズ形状にて指向制御されるものとなるので、小型形状にて広い範囲を照光できる。
【００３２】
また、請求項４記載の自動照光装置は、請求項２又は３記載のものの効果に加え、指向制御手段との交差角度とが異なるように同一平面上に設けられたＬＥＤ素子から発せられた光が、少なくとも２つの、異なる指向特性にて床面等、所定領域へ向けらるものとなるので、より広い範囲を照光できるものとなる。
【図面の簡単な説明】
【図１】本発明の第１の実施の形態の自動照光装置の構成を示す説明図で、（ａ）はカバーを外した状態の平面図、（ｂ）は側面断面図である。
【図２】図１に示す自動照光装置のブロック図である。
【図３】図１に示す自動照光装置に使用されるＬＥＤ素子の説明図である
【図４】図１に示す自動照光装置の指向性制御手段の説明図で、（ａ）はＬＥＤ素子と指向制御カバーとの関係図、（ｂ）は取付状態の指向制御状態図である。
【図５】、図１に示す自動照光装置の照光部による配光の説明図である。
【図６】図１に示す自動照光装置の取付方法の説明図である。
【図７】第２の実施の形態の自動照光装置の指向性制御手段の説明図で、（ａ）はＬＥＤ素子と指向制御カバーとの関係図、（ｂ）は取付状態の指向制御状態図である。
【図８】従来例の正面図である。
【図９】従来例のブロック図である。
【図１０】常夜灯装置の正面図である。
【符号の説明】
１    熱線検出部（状態検出部）
２    照光部
２１  ＬＥＤ素子（光源）
２１ｄ  中心軸
２４  指向制御カバー（指向制御手段）
３    電源部
【図１】
0003596208.tif 000002
【図２】
0003596208.tif 000003
【図３】
0003596208.tif 000004
【図４】
0003596208.tif 000005
【図５】
0003596208.tif 000006
【図６】
0003596208.tif 000007
【図７】
0003596208.tif 000008
【図８】
0003596208.tif 000009
【図９】
0003596208.tif 000010
【図１０】
0003596208.tif 000011